【手続補正書】
【提出日】平成28年10月7日(2016.10.7)
【手続補正１】
【補正対象書類名】特許請求の範囲
【補正対象項目名】全文
【補正方法】変更
【補正の内容】
【特許請求の範囲】
【請求項１】
組成物［組成物（Ｃ）］であって、
−  １〜９０重量％（ｗｔ．％）の少なくとも１種のポリ（アリールエーテルケトン）［ここでは以下、（ＰＡＥＫ）ポリマー］であって、前記（ＰＡＥＫ）ポリマーの繰り返し単位の５０モル％超が、互いに等しいかもしくは異なる、ＡｒおよびＡｒ’が芳香族基である、Ａｒ−Ｃ（Ｏ）−Ａｒ’基を含む繰り返し単位（ＲＰＡＥＫ）であり、前記繰り返し単位（ＲＰＡＥＫ）が、ここで以下の、式（Ｊ−Ａ）〜（Ｊ−Ｏ）：
2016501927.tif 000001
2016501927.tif 000002
2016501927.tif 000003
（式中：−  互いに等しいかもしくは異なる、Ｒ’のそれぞれは、ハロゲン、アルキル、アルケニル、アルキニル、アリール、エーテル、チオエーテル、カルボン酸、エステル、アミド、イミド、アルカリまたはアルカリ土類金属スルホネート、アルキルスルホネート、アルカリまたはアルカリ土類金属ホスホネート、アルキルホスホネート、アミンおよび第四級アンモニウムからなる群から選択され、ｊは、ゼロであるかまたは０〜４の整数である）
からなる群から好ましくは選択される、（ＰＡＥＫ）ポリマーと；
−  １〜２５重量％の少なくとも１種のポリフェニルスルホンポリマー［ここでは以下、（ＰＰＳＵ）ポリマー］であって、前記（ＰＰＳＵ）ポリマーの繰り返し単位の５０モル％超が、ここで以下の、式（Ａ）：
2016501927.tif 000004
の繰り返し単位（ＲＰＰＳＵ）である、（ＰＰＳＵ）ポリマーと；
−  １〜９０重量％の少なくとも１種のポリ（アリールエーテルスルホン）ポリマー［ここでは以下、（Ｐ１）ポリマー］であって、
（ｉ）少なくとも１種の高温ポリ（アリールエーテルスルホン）ポリマー［ここでは以下、（ＰＡＥＳＨＴ）ポリマー］であって、前記（ＰＡＥＳＨＴ）ポリマーの繰り返し単位の５０モル％超が、繰り返し単位（ＲＰＡＥＳ）であり、出現ごとに互いに等しいかもしくは異なる、前記繰り返し単位（ＲＰＡＥＳ）が、式（Ｇ）：
2016501927.tif 000005
［式中：−  互いに等しいかもしくは異なるＲ’のそれぞれは、ハロゲン、アルキル、アルケニル、アルキニル、アリール、エーテル、チオエーテル、カルボン酸、エステル、アミド、イミド、アルカリまたはアルカリ土類金属スルホネート、アルキルスルホネート、アルカリまたはアルカリ土類金属ホスホネート、アルキルホスホネート、アミンおよび第四級アンモニウムからなる群から選択され；
−  互いにおよび出現ごとに等しいかもしくは異なるｊ’のそれぞれは独立して、ゼロであるかまたは０〜４の整数であり；
−  Ａｒ１およびＡｒ２は互いにおよび出現ごとに等しいかもしくは異なり、独立して次式：
2016501927.tif 000006
（式中、Ｒのそれぞれは、
水素、ハロゲン、アルキル、アルケニル、アルキニル、アリール、エーテル、チオエーテル、カルボン酸、エステル、アミド、イミド、アルカリまたはアルカリ土類金属スルホネート、アルキルスルホネート、アルカリまたはアルカリ土類金属ホスホネート、アルキルホスホネート、アミンおよび第四級アンモニウムからなる群から選択され、互いに等しいかもしくは異なる、ｊ、kおよびlは独立して、０、１、２、３または４である）
に従うものからなる群から好ましくは選択される芳香族部分であり、
−  互いに等しいかもしくは異なる、Ｔのそれぞれは、結合、−ＣＨ２−；−Ｏ−；−ＳＯ２−；−Ｓ−；−Ｃ（Ｏ）−；−Ｃ（ＣＨ３）２−；−Ｃ（ＣＦ３）２−；−Ｃ（＝ＣＣｌ２）−；−Ｃ（ＣＨ３）（ＣＨ２ＣＨ２ＣＯＯＨ）−；−Ｎ＝Ｎ−；−ＲａＣ＝ＣＲｂ−からなる群から選択され；ここで、各ＲａおよびＲｂは、互いに独立して、水素またはＣ１〜Ｃ１２アルキル、Ｃ１〜Ｃ１２アルコキシ、またはＣ６〜Ｃ１８アリール基；ｑ＝１〜６の整数の−（ＣＨ２）ｑ−および−（ＣＦ２）ｑ−、または６個以下の炭素原子の、直鎖状もしくは分岐の、脂肪族二価基；ならびにそれらの混合物であり；
−  ｎは、０、１、２、３または４である］
に従っている（ＰＡＥＳＨＴ）ポリマー；ならびに
（ｉｉ）少なくとも１種のポリエーテルスルホンポリマー［ここでは以下、（ＰＥＳＵ）ポリマー］であって；前記（ＰＥＳＵ）ポリマーの繰り返し単位の５０％モル超が繰り返し単位（ＲＰＥＳＵ）であり、出現ごとに互いに等しいかもしくは異なる、前記繰り返し単位（ＲＰＥＳＵ）が、式（Ｃ）：
2016501927.tif 000007
（式中、−  互いに等しいかもしくは異なる、Ｒ’のそれぞれは、ハロゲン、アルキル、アルケニル、アルキニル、アリール、エーテル、チオエーテル、カルボン酸、エステル、アミド、イミド、アルカリまたはアルカリ土類金属スルホネート、アルキルスルホネート、アルカリまたはアルカリ土類金属ホスホネート、アルキルホスホネート、アミンおよび第四級アンモニウムからなる群から選択され；互いにおよび出現ごとに等しいかもしくは異なる、ｊ’のそれぞれは独立して、ゼロであるかまたは０〜４の整数である）
に従う（ＰＥＳＵ）ポリマー
からなる群から選択される、ポリマー（Ｐ１）と；
−  ０〜５０％重量％の少なくとも１種の強化充填材と
を含み、
ここで、すべての％が前記組成物（Ｃ）の総重量を基準とする、組成物（Ｃ）。
【請求項２】
前記（ＰＡＥＫ）ポリマーの繰り返し単位の５０％モル超が、ここで以下の式（Ｊ’−Ａ）〜（Ｊ’−Ｏ）：
2016501927.tif 000008
2016501927.tif 000009
からなる群から選択される繰り返し単位（ＲＰＡＥＫ）である、請求項１に記載の組成物（Ｃ）。
【請求項３】
前記（ＰＡＥＫ）ポリマーが、前記組成物（Ｃ）の総重量を基準として、３５〜７５重量％の量で存在し、ただし、強化充填材が不在である、請求項１または２のいずれか一項に記載の組成物（Ｃ）。
【請求項４】
前記（ＰＡＥＫ）ポリマーが、前記組成物（Ｃ）の総重量を基準として、５〜３０重量％の量で存在し、ただし、強化充填材が存在する、請求項１または２のいずれか一項に記載の組成物（Ｃ）。
【請求項５】
前記（ＰＰＳＵ）ポリマーが、前記組成物（Ｃ）の総重量を基準として、４〜１０重量％の量で存在する、請求項１〜４のいずれか一項に記載の組成物（Ｃ）。
【請求項６】
前記（Ｐ１）ポリマーが（ＰＡＥＳＨＴ）ポリマーであり、前記繰り返し単位（ＲＰＡＥＳ）の５０モル％超が、請求項１に定義される、式（Ｇ）に従うものである、請求項１〜５のいずれか一項に記載の組成物（Ｃ）。
【請求項７】
繰り返し単位（ＲＰＡＥＳ）が、以下に示される、式（Ｈ）〜（Ｋ）、およびそれらの混合物：
2016501927.tif 000010
からなる群から選択されるものである、請求項６に記載の組成物（Ｃ）。
【請求項８】
前記（ＰＡＥＳＨＴ）ポリマーの繰り返し単位の７５モル％超が、繰り返し単位（ＲＰＡＥＳ−１）と（ＲＰＡＥＳ−２）との混合物であり、前記繰り返し単位（ＲＰＡＥＳ−１）が、以下に示される、式（Ｏ）：
2016501927.tif 000011
に従っており、
前記繰り返し単位（ＲＰＡＥＳ−２）が、以下に示される、式（Ｐ）：
2016501927.tif 000012
に従っており、
前記（ＰＡＥＳＨＴ）ポリマー中の前記繰り返し単位（ＲＰＡＥＳ−１）のモル量が、（ＰＡＥＳＨＴ）ポリマー中に含まれる繰り返し単位（ＲＰＡＥＳ−１）および（ＲＰＡＥＳ-２）の総量を基準として、５０〜９８％である、請求項１〜６のいずれか一項に記載の組成物（Ｃ）。
【請求項９】
前記（Ｐ１）ポリマーが（ＰＥＳＵ）ポリマーであり、前記繰り返し単位（ＲＰＥＳＵ）の５０％モル超が、以下に示される、式（Ｄ）：
2016501927.tif 000013
に従うものである、請求項１〜５のいずれか一項に記載の組成物（Ｃ）。
【請求項１０】
前記（Ｐ１）ポリマーが、前記組成物（Ｃ）の総重量を基準として、３０〜７０重量％の量で存在し、ただし、強化充填材が不在である、請求項１、２および４〜９のいずれか一項に記載の組成物（Ｃ）。
【請求項１１】
前記（Ｐ１）ポリマーが、前記組成物（Ｃ）の総重量を基準として、３０〜６５重量％の量で存在し、ただし、強化充填材が存在する、請求項１および３〜９のいずれか一項に記載の組成物（Ｃ）。
【請求項１２】
前記強化充填材が、前記ポリマー組成物（Ｃ）の総重量を基準として、４０重量％に等しいかもしくは最大でも４０重量％の量で存在するガラス繊維である、請求項１および３〜９および１２のいずれか一項に記載の組成物（Ｃ）。
【請求項１３】
−  少なくとも１種の（ＰＡＥＫ）ポリマー
−  少なくとも１種の（ＰＰＳＵ）ポリマー
−  少なくとも１種の（Ｐ１）ポリマー
−  任意選択的に、少なくとも１種の前記強化充填材、および任意選択的に、他の原料（Ｉ）
を混合する工程を含む、請求項１〜１２のいずれか一項に記載のポリマー組成物（Ｃ）の製造方法。
【請求項１４】
請求項１〜１２のいずれか一項に記載のポリマー組成物を含む物品。